(57)【要約】【課題】装置構成の適否を容易に確認することが可能な保護継電装置を得る。【解決手段】ソフトウェアが記録されている複数の基板１０、２０、３０で構成される保護継電装置１００において、基板２０、３０に記憶されている基板特定情報７０、７１を基板１０に送出し、基板１０は、基板１０に記憶されている基板特定情報と基板特定情報７０、７１とを集約し、保護継電装置１００の構成状態を示す装置特定コードを生成し、装置特定コードの内容を示す信号７２として所定の表示部６０に出力する。【選択図】図１
2010284061.tif 000002
【特許請求の範囲】
【請求項１】
ソフトウェアが実装されている複数の基板で構成された保護継電装置において、
前記各基板には、個々の基板を特定する基板特定情報が格納され、
前記各基板内の所定の基板であって第１の基板特定情報を格納する第１の基板と、
前記第１の基板以外の基板であって第２の基板特定情報を格納する第２の基板と、
を備え、
前記第１の基板は、
前記第２の基板特定情報を収集し、前記第２の基板特定情報と前記第１の基板特定情報とに基づいて、前記保護継電装置の構成状態を示す第１の装置特定コードを生成し、前記第１の装置特定コードの内容を示す信号として所定の表示部に出力することを特徴とする保護継電装置。
【請求項２】
前記各基板を挿着するスロットには、前記各基板の挿着位置を示す基板挿入位置特定情報が割当てられ、
第１の基板挿入位置特定情報が割当てられたスロットに挿着された前記第１の基板は、
前記第２の基板が挿着されたスロットの基板挿入位置特定情報である第２の基板挿入位置特定情報を収集し、第２の基板挿入位置特定情報と第１の基板挿入位置特定情報とに基づいて、前記各基板が挿着されているスロットの位置を示す信号を生成し、前記表示部に出力することを特徴とする請求項１に記載の保護継電装置。
【請求項３】
前記第１の基板は、
外部から入力され前記保護継電装置の本来あるべき構成状態を示す第２の装置特定コードと前記第１の装置特定コードとを比較し、各基板が適正に構成されているか否かを判定し、各基板が適正に構成されていない場合、判定結果を示す信号を前記表示部に出力し、
前記表示部は、
前記基板が適正に構成されていない基板を視覚化して表示することを特徴とする請求項１または２に記載の保護継電装置。
【請求項４】
前記表示部は、可搬型パソコンのモニタであることを特徴とする請求項１〜３のいずれか１つに記載の保護継電装置。
【発明の詳細な説明】
【技術分野】
【０００１】
本発明は、複数の基板で構成された保護継電装置に関し、特に、適正な基板で構成されていることを確認することができる保護継電装置に関するものである。
【背景技術】
【０００２】
従来の保護制御装置において、当該装置が適正な基板で構成されていることを確認するためには、基板を１枚１枚取り出して基板に記載された形名を確認するか、ソフトウェアを実装した基板の場合では、ソフトウェアが書き込まれたＲＯＭに記載されているＲＯＭ記号を確認するか、ソフトウェアが書き込まれたＲＯＭを基板から取り外し、ＲＯＭライターのような機器に接続してソフトウェアのサム値などを確認し、装置を構成する基板を個々に調べていた。そのため、従来の保護制御装置においては、基板情報の見落しや見誤りが発生する場合が多く、確認作業の効率化を図ることができる手段が求められていた。
【０００３】
このようなニーズを満たす手段として、下記特許文献１に示される従来の保護制御装置は、装置内に共有のデータバスを介して所定の基板中のソフトウェア情報をアクセスできる機能を持たせ、これらの情報を外部にオンラインで伝達できる機能を設けるようにしたので、オンラインでソフトウェアの確認を容易に行うことが可能である。
【先行技術文献】
【特許文献】
【０００４】
【特許文献１】特開平９−１９１５５３号公報
【発明の概要】
【発明が解決しようとする課題】
【０００５】
しかしながら、上記特許文献１に示される従来技術は、例えば、基板の挿入位置が誤っている、必要基板が不足している、間違った基板が挿入されている、あるいはバージョンが違ったソフトウェアが使用されているのか否かを確認することが困難であった。すなわち、従来技術は、装置構成が適正であるか否かを確認することができないという課題があった。
【０００６】
本発明は、上記に鑑みてなされたものであって、装置構成の適否を容易に確認することが可能な保護継電装置を得ることを目的とする。
【課題を解決するための手段】
【０００７】
上述した課題を解決し、目的を達成するために、本発明は、ソフトウェアが実装されている複数の基板で構成される保護継電装置において、前記各基板には、個々の基板を特定する基板特定情報が格納され、前記各基板内の所定の基板であって第１の基板特定情報を格納する第１の基板と、前記第１の基板以外の基板であって第２の基板特定情報を格納する第２の基板と、を備え、前記第１の基板は、前記第２の基板特定情報を収集し、前記第２の基板特定情報と前記第１の基板特定情報とに基づいて、前記保護継電装置の構成状態を示す第１の装置特定コードを生成し、前記第１の装置特定コードの内容を示す信号として所定の表示部に出力することを特徴とする。
【発明の効果】
【０００８】
この発明によれば、装置を構成している複数の基板特定情報を１箇所に集約し、これらの基板特定情報から装置特定コードを生成するようにしたので、基板の挿入位置が誤っている、必要基板が不足している、間違った基板が挿入されている、あるいはバージョンが違ったソフトウェアが使用されている場合においても、装置構成の適否を容易に確認することができるという効果を奏する。
【図面の簡単な説明】
【０００９】
【図１】図１は、本発明の実施の形態１にかかる保護継電装置の構成を示す図である。
【図２】図２は、実施の形態１にかかる保護継電装置で演算された装置特定コードの表示例を示す図である。
【図３】図３は、本発明の実施の形態２にかかる保護継電装置の構成を示す図である。
【図４】図４は、実施の形態２にかかる基板配置画面の表示例を示す図である。
【図５】図５は、実施の形態３にかかる基板配置画面および確認用装置特定コードの表示例を示す図である。
【発明を実施するための形態】
【００１０】
以下に、本発明にかかる保護継電装置の実施の形態を図面に基づいて詳細に説明する。なお、この実施の形態によりこの発明が限定されるものではない。
【００１１】
実施の形態１．
図１は、本発明の実施の形態１にかかる保護継電装置１００の構成を示す図であり、図２は、実施の形態１にかかる保護継電装置１００で演算された装置特定コードの表示例を示す図である。
【００１２】
図１において、保護継電装置１００は、主たる構成として、保護継電装置１００のスロット９０（例えば、スロットNO.１）に挿着された第１の基板である基板１０と、スロット９１（例えば、スロットNO.２）に挿着された第２の基板である基板２０と、スロット９２（例えば、スロットNO.ｎ）に挿着された第２の基板である基板３０とを有して構成されている。また、各基板１０〜３０は、基板間のバス４１で接続されている。
【００１３】
なお、本実施の形態では、一例として、３つの基板で構成された保護継電装置１００に関して説明しているが、基板の数量は３つに限定されるものではなく、より多くの基板を実装可能であることは無論である。
【００１４】
基板１０は、各種の演算を行うＣＰＵ１１と、プログラムが格納されているＲＯＭ１２と、演算データを格納するＲＡＭ１３と、Ｉ／Ｆ１４とで構成されている。基板２０は、基板１０と同様に、ＣＰＵ２１、ＲＯＭ２２、ＲＡＭ２３、およびＩ／Ｆ２４で構成され、基板３０は、ＣＰＵ３１、ＲＯＭ３２、ＲＡＭ３３、およびＩ／Ｆ３４で構成されている。
【００１５】
各Ｉ／Ｆ１４、２４、３４は、基板内部のバス１５、２５、３５に接続されている。そのため、例えば、基板２０、３０から出力されたデータは、基板１０に集約される。基板１０は、可搬形パソコン５１を接続可能なＩ／Ｆ１６を備えており、ケーブルを介して可搬形パソコン５１と接続されている。
【００１６】
なお、本実施の形態にかかる保護継電装置１００は、基板１０に可搬形パソコン５１を接続する構成として説明しているが、他の基板に可搬形パソコン５１を接続する構成であってもよい。また、保護継電装置１００から出力された情報を表示する手段として可搬形パソコン５１を例示したが、これに限定されるものではない。
【００１７】
本実施の形態にかかる保護継電装置１００の動作を説明するにあたり、各スロット９０〜９２と各基板１０、２０、３０とを以下の通り定義する。すなわち、スロット９０を親スロットとし、スロット９１，９２と子スロットとする。この例の場合、基板１０を親とし、基板２０と基板３０を子として説明する。
【００１８】
子の基板２０は、ＲＯＭ２２に格納されている基板特定情報７０（以下単に「基板情報７０」と称する）を親の基板１０に送出する。また、子の基板３０は、ＲＯＭ３２に格納されている基板特定情報７１（以下単に「基板情報７１」と称する）を親の基板１０に送出する。基板情報７０と基板情報７１の具体例としては、例えば、１．カード型名、２．バージョン、３．カード名称、および４．ソフトウェア番号などが含まれる。
【００１９】
基板１０は、ＲＯＭ１２に格納されている自己の基板特定情報（第１の基板特定情報）に、基板情報７０と基板情報７１（第２の基板特定情報）とを加えて、保護継電装置１００の構成状態を示す装置特定コード（第１の装置特定コード）を生成する。装置特定コードの具体例としては、例えば、上述した１．カード型名、２．バージョン、３．カード名称、および４．ソフトウェア番号に、基板２０および基板３０の実装位置である５．スロット番号を追加し、基板２０および基板３０の配列をテーブル形式にしたものである。
【００２０】
装置特定コードは、装置特定コードの内容を示す信号７２として可搬形パソコン５１に送出され、図２に示されるように、装置情報確認画面６０（表示部）上の装置特定コード表示部６１に、上記テーブルのサム値として表示される。
【００２１】
以上に説明したように、本実施の形態にかかる保護継電装置は、基板２０、３０のＲＯＭ上に基板情報７０、７１を設け、これらを基板１０に集約して装置特定コードを生成するようにしたので、外部に接続された可搬形パソコン５１に装置特定コードを表示することが可能である。その結果、装置製作者は、表示された装置特定コードが所望のコードと異なる場合、例えば、装置を構成している基板の種類やソフトウェアのバージョンに関して、必要な基板が不足している、間違った基板が挿着されている、あるいはバージョンが違ったソフトウェアが使用されていることを容易に確認することが可能である。
【００２２】
実施の形態２．
実施の形態１にかかる保護継電装置１００は、装置特定コードを表示する態様であったが、本実施の形態にかかる保護継電装置１００は、装置特定コードに加え、個々の基板の挿着状態を表示することができる。以下、実施の形態１と同様の部分については、同じ符号を付してその説明を省略し、異なる部分についてのみ述べる。
【００２３】
図３は、本発明の実施の形態２にかかる保護継電装置１００の構成を示す図であり、図４は、実施の形態２にかかる基板配置画面６２の表示例を示す図である。
【００２４】
図３において、保護継電装置１００は、実施の形態１と同様に、複数の基板１０、２０、３０を有して構成され、子の基板２０、３０が基板情報７０、７１を親の基板１０に送出し、基板１０が子基板情報７０、７１に自己の基板特定情報を加えて装置特定コードを生成する。
【００２５】
各スロット９０〜９２には、各基板の挿入位置を特定する基板挿入位置特定情報（以下単に「位置特定情報」と称する）８０、８１が割当られている。すなわち、スロット９１には、基板２０の挿入位置を特定する情報である第２の基板挿入位置特定情報が割当られ、スロット９２には、基板３０の挿入位置を特定する情報である第２の基板挿入位置特定情報が割当られている。
【００２６】
基板２０、３０は、これらの位置特定情報８０、８１を親の基板１０に送出する。基板１０は、位置特定情報８０、８１と、基板１０の挿入位置を特定する情報である第１の基板挿入位置特定情報とを加えて、各基板が挿着されているスロットの位置を示す信号８２（以下単に「信号８２」と称する）を生成して、当該信号８２を可搬形パソコン５１に送出する。
【００２７】
図４において、装置情報確認画面６０は、上述した装置特定コード表示部６１と、スロットに挿着された基板名を表示する基板配置画面６２とで構成されている。基板配置画面６２には、上述した信号８２に対応する基板の挿着状態が表示される。
【００２８】
以上に説明したように、本実施の形態にかかる保護継電装置は、所定の基板１０に、複数の位置特定情報８０、８１と複数の基板情報７０、７１を集約して、装置特定コードと位置特定情報とを生成するようにしたので、スロット毎の基板状態を表示することができる。その結果、装置製作者は、例えば、基板配置画面６２上に表示された基板の挿入位置が誤っている、必要基板が不足している、あるいは間違った基板が挿入されていることを容易に確認することができる。
【００２９】
実施の形態３．
実施の形態１、２にかかる保護継電装置１００は、装置特定コードと基板の挿着状態とを表示する態様であったが、本実施の形態にかかる保護継電装置１００は、基板１０、２０、３０が想定される基板と相違する場合、相違部分を視覚化して表示することができる。以下、実施の形態１、２と同様の部分については、同じ符号を付してその説明を省略し、異なる部分についてのみ述べる。
【００３０】
図５は、実施の形態３にかかる基板配置画面６２および確認用装置特定コードの表示例を示す図である。装置情報確認画面６０には、装置製作者が意図する装置特定コードであって、可搬形パソコン５１から入力され保護継電装置１００の本来あるべき構成状態を示す確認用装置特定コード（第２の装置特定コード）の表示部６４が設けられている。
【００３１】
基板１０は、上述した確認用装置特定コード（以下単に「確認用コード」と称する）を予め保持しており、確認用コードと装置特定コードと比較し、整合性を判定する。すなわち、確認用コードと装置特定コードと比較し、各基板が適正に構成されているか否かを判定する。各基板が適正に構成されていない場合、基板１０は、判定結果を示す信号を可搬形パソコン５１に出力する。可搬形パソコン５１は、基板が適正に構成されていない場合、基板配置画面６２に相違部分６３を視覚化して表示する。
【００３２】
以上に説明したように、本実施の形態にかかる保護継電装置は、確認用コードと装置特定コードと比較するようにしたので、装置製作者が入力した確認用コードと異なる基板が挿着されている場合、相違部分を視覚化して表示することが可能である。その結果、装置製作者は、例えば、基板配置画面６２上に表示された基板の挿入位置が誤っている、必要基板が不足している、あるいは間違った基板が挿入されていることを、より一層容易に確認することができる。
【産業上の利用可能性】
【００３３】
以上のように、本発明にかかる保護継電装置は、複数の基板で構成された保護継電装置に適用可能であり、特に、適正な基板で構成されていることを容易に確認することができる発明として有用である。
【符号の説明】
【００３４】
１０，２０，３０  基板
１１，２１，３１  ＣＰＵ
１２，２２，３２  ＲＯＭ
１３，２３，３３  ＲＡＭ
１４，２４，３４，１６  Ｉ／Ｆ
１５，２５，３５  基板内部バス
４１  ユニット内部バス
５１  可搬形パソコン
５２  ケーブル
６０  装置情報確認画面（表示部）
６１  装置特定コード表示部
６２  基板配置画面
６３  差異部分表示
６４  確認用装置特定コード表示部
７０，７１  基板特定情報（第２の基板特定情報）
７２  装置特定コードの内容を示す信号（第１の装置特定コードの内容を示す信号）
８０，８１  基板挿入位置特定情報（第２の基板挿入位置特定情報）
８２  各基板が挿着されているスロットの位置を示す信号
９０  スロット１
９１  スロット２
９２  スロットｎ
１００  保護継電装置
【図１】
2010284061.tif 000003
【図２】
2010284061.tif 000004
【図３】
2010284061.tif 000005
【図４】
2010284061.tif 000006
【図５】
2010284061.tif 000007